(57)【要約】【課題】装身具の対する需要者の自由で多様の現代的な願望に対応できるよう，装身具本体と連結体との連携の構造を実現する。【解決手段】金属より成る装身具本体，およびこの装身具本体に連続して形成された連結体により連結構造を有する装身具を構成し，この連結体によりこの装身具本体が装身具支持体へ取付けられ，また，この連結構造を有する装身具が，ペンダント，イヤリング，ネックレス，ブレスレット等の様式に適用されるようにされる。【選択図】  図１
2007111450.tif 000002
【特許請求の範囲】
【請求項１】
金属より成る装身具本体およびこの装身具本体連続して形成された連結体により連結構造を有する装身具が構成され，この連結体によりこの装身具本体が装身具支持体へ取付けられるようになっていることを特徴とする連結構造を備えた装身具。
【請求項２】
金属より成る装身具本体およびこの装身具本体に連続して形成された連結体により連結構造を有する装身具が構成され，この連結体により当該装身具本体と他の装身具本体とが連結されるようになっていることを特徴とする連結構造を備えた装身具。
【請求項３】
金属より成る装身具本体およびこの装身具本体に連続して形成された連結体により連結体を有する装身具が構成され，当該装身具に形成された連結体の孔部に他の装身具に形成された連結体が挿通され係合させられることにより両装身具が連結されるようになっていることを特徴とする連結構造を備えた装身具。
【請求項４】
金属より成る装身具本体およびこの装身具本体に連続して形成された連結体により連結体を有する装身具が構成され，この連結体を有する装身具の複数個が連結体により連続状にされて装身具支持体へ取り付けられるようになっていることを特徴とする連結構造を備えた装身具。
【発明の詳細な説明】
【技術分野】
【０００１】  本発明は，ペンダント，イヤリング，ピアス，ブレスレット，ネックレス，鎖，鎖止め具，下げ飾り等の装身具に関する。本発明はこれらの装身具について，装身具本体および当該装身具本体に連続して形成された連続体が設けられていることに関する。
【背景技術】
【０００２】  装身具においては，装身具を人体の希望する部位に位置させるための手段がとられるが，人体に取付けられた鎖等の装身具支持体へ連結部材によって装身具本体を連結させるか，人体に施された窄孔部へ連結部材を介して装身具本体を固定するか等の手段によるのが普通である。しかし人間の美装追求の意識の高まり，装身具趣味の流動する現代的風潮，装身具の装身効果についての自由で多様な願望に答えるにはまだまだ工夫すべき事項は多い。【０００３】  先行技術としては，例えば特開２００４−７３７４８号公報に示されるような複数の部品ピ−スのうちの１つに支持金具を取り付け，各部品ピ−スには，部品ピ−スを互いに回動可能に連結する連結部と，部品ピ−スを組立状態で隣接部品ピ−スを互いに着脱可能に係止する係止部とを設けたものが提案されているが，装身効果の多様な願望に答えるため一層の工夫が望まれている。
【特許文献１】  特開２００４−７３７４８号  公報
【発明の開示】
【発明が解決しようとする課題】
【０００４】  背景技術における前記の状況にかんがみ本発明は装身具に係合金具を備えさせる特別の構成を実現することにより，需要者の装身具に対する現代的な願望に対応することができ，装身具利用および装身効果について需要者の自由で多様な願望に答えようとするものである。
【課題を解決するための手段】
【０００５】  本発明の基本的形態として，金属より成る装身具本体，およびこの装身具本体に連続して形成された連結体により連結構造を有する装身具が構成され，この連結体によりこの装身具本体が装身具支持体へ取り付けられるようになっている，連結構造を備えた装身具が提供される。ここに，装身具本体は，金，銀，プラチナ等の貴金属，これらの合金，真鋳，チタン，ステンレススチ−ル等を素材とし，鋳造，プレス工程等により製造される。【０００６】  本発明においてはまた，金属より成る装身具本体，およびこの装身具本体に連続して形成された連結体により連結構造を有する装身具が構成され，この連結体により当該装身具本体と他の装身具本体とが連結されるようになっている連結構造を備えた装身具が提供される。【０００７】  本発明においてはまた，金属より成る装身具本体およびこの装身具本体に連続して形成された連結体により連結体を有する装身具が構成され，当該装身具に形成された連結体の孔部に他の装身具に形成された連結体が挿通され係合させられることにより両装身具が連結されるようになっている連結構造を備えた装身具が提供される。【０００８】  本発明においてはまた，金属より成る装身具本体およびこの装身具本体に連続して形成された連結体により連結体を有する装身具が構成され，この連結体を有する装身具の複数個が連結体により連続状にされて装身具支持体へ取り付けられるようになっている連結構造を有する装身具が提供される。
【発明の効果】
【０００９】  本発明の連結構造を備えた装身具においては，金属より成る装身具本体，およびこの装身具本体に連続して形成された連結体により連結構造を有する装身具が構成される。この連結体によりこの装身具本体が装身具支持体へ取付けられる。【００１０】  本発明の連結構造を備えた装身具においては，装身具本体の優美な現示がなされ，装身具本体を１個のみならず複数個の組として現示されることができる。複数個の装身具本体を連結しても連結体は装身具本体の背後にかくれて装身具本体の美感を阻害することがなく，装身具本体は連結体を介して確実に支持される。装身具としてペンダント，イヤリング，ピアス，ネックレス，ブレスレット，その他の形式に適用することができる。
【発明を実施するための最良の形態】
【００１１】  本発明の実施の形態が図１〜図８を参照しつつ説明される。【００１２】  ペンダント様式についての説明。
金属より成る装身具本体１に連結部材２が接続されて，装身具の単位Ａが作られる。連結部材は装身具本体と一体的に形成され，係合孔２３が構成され基部２２において装身具本体１に連続する。図１に正面図，図２に背面図，図３に側面図が示される。この装身具の単位を２個連結して，装身具として用いる場合，一方の装身具単位の連結部材を他方の装身具単位の連結部材に挿通してねじることにより２つの単位体を連続して吊下してペンダント形態の装身具とすることができる。２個のみならず３個以上も可能である。吊下状態において，連結部材は装身具本体の背後にかくれて見えず，前面からは装身具本体のみの連続として視認されてペンダントとして優美である。これが図４，図５に示される。連結吊下状態は，簡単に解除し，バラバラにすることができる。なお，連結部材は図１では卵形のものが示されているが，これに限らず，円形，楕円形，三角形，四角形，ほかの多角形，その他の形状とすることができる。【００１３】  ネックレス様式についての説明。
装身具本体を連結体を介してネックレス，その他へ吊下げる。連結体を有する装身具は１個または２個以上とすることができる。【００１４】  イヤリング，ピアス様式についての説明。
装身具本体および装身具本体に連続して形成された連結体により装身具の単位を構成し，この単位１個を装身具として用いることができる。この単位２個を連結して吊下し，装身具として用いることができる。これは，イヤリング又はピアスの様式である。イヤリングの場合はイヤリング用耳たぶ挟み具へ装身具本体を吊下する。この場合，単位２個以上を連結することができる。ピアスの場合は，ピアス用耳たぶ貫通具へ装身具本体を吊下する。この場合，単位２個以上を連結することができる。【００１５】  ブレスレット様式についての説明。
装身具本体を連結体を介してブレスレットへ吊下げる。連結体を有する装身具は１個または２個以上とすることができる。【００１６】  種々の装身具パ−ツを組み合わせて装身セットとする様式についての説明。
装身具本体を例えば，ハ−ト形のものであるとし，連結体により図６に示すように連結するものとする。図７に示すようにア，イ，ウ，エ，オ，およびカのような装身具パ−ツを用意する。ここにア，イ，ウは同様なハ−ト形装身具本体であるが，色彩が相互に異なっているとする。これらハ−ト形装身具本体を組み合わせて図８に示すように，（１）ア，イ，ウの３色から成るセット，（２）ア，オ，ウのようにダイヤ装身具本体が含まれるセット，および（３）エ，カ，オのようにゴ−ジャスと呼ばれるセットが構成される。【００１７】  ネックレス接続部分へ適用する様式についての説明。
ネックレスの一箇所を切り離し，連結体により連結された２個の装身具本体をこの切り離されたネックレスの端部の間に接続することにより装身具本体を介在させたネックレスとして完成させることができる。
以上各種様式について述べたが，図１〜図８は例示であり，これに限らず特許請求の範囲においてその他の様式も可能である。
【図面の簡単な説明】
【００１８】
【図１】本発明の一実施例としての連結構造を備えた装身具を説明する図で，正面図。
【図２】図１と同様の図で，背面図。
【図３】図１と同様の図で，側面図。
【図４】本発明の一実施例としての連結構造を備えた装身具であって，連結されるべき２個の装身具を示す背面図。
【図５】本発明の一実施例としての連結構造を備えた装身具について連結吊下される２個の装身具を示す図であって，左方は正面図，右方は背面図。
【図６】本発明の一実施例としての連結構造を備えた装身具について連結吊下される２個の装身具を示す図であって，透視図である。
【図７】本発明の一実施例としての連結構造を備えた装身具について吊下されるべき装身具をパ−ツとして示す図。
【図８】図７と同様の図で，パ−ツとしての装身具を種々に組み合わせ，セットとして吊下する状況を示す図。
【符号の説明】
【００１９】  １    装身具本体
２    連結体
２１    基部
２２    直線部
２３    係合孔
４    連結体
４１    基部
４２    直線部
４３    孔合孔
【図１】
2007111450.tif 000003
【図２】
2007111450.tif 000004
【図３】
2007111450.tif 000005
【図４】
2007111450.tif 000006
【図５】
2007111450.tif 000007
【図６】
2007111450.tif 000008
【図７】
2007111450.tif 000009
【図８】
2007111450.tif 000010